(57)【特許請求の範囲】
【請求項１】
複数の座席への人員の配席を決定する配席設計装置であって、
配席条件に関して位置毎に異なる属性の強さを示す属性スコアを等高線によるデータ構造で記憶する属性記憶部と、
前記人員それぞれの前記属性に対する許容度を記憶する許容度記憶部と、
前記人員のいずれかが、ある座席に配席されたと仮定した場合に、当該配席された座席と前記配席条件における前記等高線との位置関係に基づいて特定される前記属性スコア、及び当該配席された人員の前記属性に対する前記許容度に基づいて、当該配席された座席が当該人員にとって適している度合いを示す許容ポイントを算出するポイント算出部と、
前記ポイント算出部により算出される前記許容ポイントの全人員についての総和が所定の条件を満たす配席を決定する配席決定部と、を備える配席設計装置。
【請求項２】
前記属性記憶部は、複数の配席条件に関するそれぞれの属性スコアを、等高線による共通のデータ構造で記憶し、
前記許容度記憶部は、前記複数の配席条件それぞれに関する属性に対する許容度を記憶し、
前記配席決定部は、前記複数の配席条件それぞれに対して前記ポイント算出部により算出される前記許容ポイントの和を、全人員について総和した値が前記所定の条件を満たす配席を決定する請求項１に記載の配席設計装置。
【請求項３】
前記所定の条件とは、複数の配席パターン毎に算出される前記許容ポイントの総和が極大となる場合である請求項１又は請求項２に記載の配席設計装置。
【請求項４】
前記配席条件に関する等高線のテンプレートを記憶するテンプレート記憶部と、
前記テンプレートに基づく修正入力を受け付け、修正後の等高線で示される属性スコアを前記属性記憶部に記憶する属性入力部と、を備える請求項１から請求項３のいずれかに記載の配席設計装置。
【請求項５】
前記ポイント算出部は、前記配席条件に関する属性スコアが特定の人員からの影響度を示す場合、前記テンプレートに基づいて、前記特定の人員が配席された位置に応じた属性スコアを特定する請求項４に記載の配席設計装置。
【請求項６】
コンピュータが複数の座席への人員の配席を決定する配席設計方法であって、
配席条件に関して位置毎に異なる属性の強さを示す属性スコアを等高線によるデータ構造で記憶する属性記憶ステップと、
前記人員それぞれの前記属性に対する許容度を記憶する許容度記憶ステップと、
前記人員のいずれかが、ある座席に配席されたと仮定した場合に、当該配席された座席と前記配席条件における前記等高線との位置関係に基づいて特定される前記属性スコア、及び当該配席された人員の前記属性に対する前記許容度に基づいて、当該配席された座席が当該人員にとって適している度合いを示す許容ポイントを算出するポイント算出ステップと、
前記ポイント算出ステップにおいて算出される前記許容ポイントの全人員についての総和が所定の条件を満たす配席を決定する配席決定ステップと、を含む配席設計方法。
【請求項７】
コンピュータに複数の座席への人員の配席を決定させるための配席設計プログラムであって、
配席条件に関して位置毎に異なる属性の強さを示す属性スコアを等高線によるデータ構造で記憶する属性記憶ステップと、
前記人員それぞれの前記属性に対する許容度を記憶する許容度記憶ステップと、
前記人員のいずれかが、ある座席に配席されたと仮定した場合に、当該配席された座席と前記配席条件における前記等高線との位置関係に基づいて特定される前記属性スコア、及び当該配席された人員の前記属性に対する前記許容度に基づいて、当該配席された座席が当該人員にとって適している度合いを示す許容ポイントを算出するポイント算出ステップと、
前記ポイント算出ステップにおいて算出される前記許容ポイントの全人員についての総和が所定の条件を満たす配席を決定する配席決定ステップと、を実行させるための配席設計プログラム。
【発明の詳細な説明】
【技術分野】
【０００１】
本発明は、複数の座席への人員の配席を決定する装置、方法及びプログラムに関する。
【背景技術】
【０００２】
従来、オフィスにおける業務効率の向上又は低下に対して、人員の配席設計は大きな要員となっている。この配席設計時に考慮すべき事項は、例えば、空調の体感温度、役職、業務内容、人間関係等、多岐に渡っているため、個々の条件に対応して適切な配席を決定することは容易ではない。
【０００３】
そこで、多くの配席要求に基づく複数の配席ルールの間の矛盾を排除し、これらの配席要求に応えるための配席管理装置が提案されている（例えば、特許文献１参照）。
【先行技術文献】
【特許文献】
【０００４】
【特許文献１】特開２００５−００４３８６号公報
【発明の概要】
【発明が解決しようとする課題】
【０００５】
ところで、特許文献１のように、配席に関する要求は、通常、配席されるべき人員それぞれに対して設定され、さらに、各座席に対して要求に関する属性が設定される。これにより、人員毎に割り当てられた座席について要求を満たしているか否かが判断される。
【０００６】
しかしながら、配席に関する要求を満たしているとしても、座席によって属性の強弱が存在するため、配席されることへの許容度（満足度）が異なる場合がある。この場合、人員毎の座席の属性に対する許容度の差異を判断するのが難しいため、全人員が配席された状態での全体としての配席の適性を、他の配席状態と比較することは難しかった。
【０００７】
本発明は、座席毎に異なる属性の強弱を容易に設定でき、かつ、条件に適した配席を容易に決定できる配席設計装置、配席設計方法及び配席設計プログラムを提供することを目的とする。
【課題を解決するための手段】
【０００８】
本発明では、以下のような解決手段を提供する。
【０００９】
（１）複数の座席への人員の配席を決定する配席設計装置であって、配席条件に関して位置毎に異なる属性の強さを示す属性スコアを等高線によるデータ構造で記憶する属性記憶部と、前記人員それぞれの前記属性に対する許容度を記憶する許容度記憶部と、前記人員のいずれかが、ある座席に配席されたと仮定した場合に、当該配席された座席と前記配席条件における前記等高線との位置関係に基づいて特定される前記属性スコア、及び当該配席された人員の前記属性に対する前記許容度に基づいて、当該配席された座席が当該人員にとって適している度合いを示す許容ポイントを算出するポイント算出部と、前記ポイント算出部により算出される前記許容ポイントの全人員についての総和が所定の条件を満たす配席を決定する配席決定部と、を備える配席設計装置。
【００１０】
このような構成によれば、配席設計装置は、等高線によるデータ構造で属性スコアの分布を記憶し、人員が配席された座席の属性スコアと、属性に対して人員毎に設定されている許容度とに基づいて、許容ポイントを算出する。そして、配席設計装置は、この許容ポイントの総和により適切な配席を決定できる。
したがって、配席設計装置は、座席毎に異なる属性の強弱を、等高線を用いて容易に設定でき、かつ、人員毎の許容度で示される条件に適した配席を容易に決定できる。
【００１１】
（２）前記属性記憶部は、複数の配席条件に関するそれぞれの属性スコアを、等高線による共通のデータ構造で記憶し、前記許容度記憶部は、前記複数の配席条件それぞれに関する属性に対する許容度を記憶し、前記配席決定部は、前記複数の配席条件それぞれに対して前記ポイント算出部により算出される前記許容ポイントの和を、全人員について総和した値が前記所定の条件を満たす配席を決定する（１）に記載の配席設計装置。
【００１２】
従来、属性の強弱を個別の座席毎に考慮して設定する作業は煩雑であり、さらに、配席のための条件は様々であるため、性質の異なる複数の条件の相互間の優先度も含めて統一的に配席条件を設定・適用することは困難であった。
（２）の構成によれば、配席設計装置は、等高線による共通のデータ構造で、性質の異なる複数の配席条件に関する属性スコアの分布を定義できる。したがって、配席設計装置は、座席毎に異なる属性の強弱を容易に設定でき、かつ、性質の異なる複数の条件に適した配席を容易に決定できる。
【００１３】
（３）前記所定の条件とは、複数の配席パターン毎に算出される前記許容ポイントの総和が極大となる場合である（１）又は（２）に記載の配席設計装置。
【００１４】
このような構成によれば、配席設計装置は、許容ポイントを算出した配席パターンの中で、この許容ポイントの総和が極大となる場合の配席パターンを、設計結果として出力する。したがって、配席設計装置は、各座席の属性スコアに対してより大きな許容度が設定されている人員が割り当てられた配席パターンを選択し、より適切な配席を決定できる。
【００１５】
（４）前記配席条件に関する等高線のテンプレートを記憶するテンプレート記憶部と、前記テンプレートに基づく修正入力を受け付け、修正後の等高線で示される属性スコアを前記属性記憶部に記憶する属性入力部と、を備える（１）から（３）のいずれかに記載の配席設計装置。
【００１６】
このような構成によれば、配席設計装置は、テンプレートを予め記憶しておくことにより、利用者の作業負荷を低減し、かつ、容易に属性のスコアの分布を定義できる。
【００１７】
（５）前記ポイント算出部は、前記配席条件に関する属性スコアが特定の人員からの影響度を示す場合、前記テンプレートに基づいて、前記特定の人員が配席された位置に応じた属性スコアを特定する（４）に記載の配席設計装置。
【００１８】
配席条件に関する属性スコアが特定の人員からの影響度を示す場合、この特定の人員の配置に応じて等高線を移動させる必要がある。
（５）の構成によれば、配席設計装置は、特定の人員がいずれの座席に割り当てられたとしても、テンプレートに基づいて属性スコアを特定できるので、特定の人員の配置に応じて、都度、等高線を設定する必要がなく、利用者の作業負荷を低減できる。
【００１９】
（６）コンピュータが複数の座席への人員の配席を決定する配席設計方法であって、配席条件に関して位置毎に異なる属性の強さを示す属性スコアを等高線によるデータ構造で記憶する属性記憶ステップと、前記人員それぞれの前記属性に対する許容度を記憶する許容度記憶ステップと、前記人員のいずれかが、ある座席に配席されたと仮定した場合に、当該配席された座席と前記配席条件における前記等高線との位置関係に基づいて特定される前記属性スコア、及び当該配席された人員の前記属性に対する前記許容度に基づいて、当該配席された座席が当該人員にとって適している度合いを示す許容ポイントを算出するポイント算出ステップと、前記ポイント算出ステップにおいて算出される前記許容ポイントの全人員についての総和が所定の条件を満たす配席を決定する配席決定ステップと、を含む配席設計方法。
【００２０】
このような構成によれば、配席設計方法をコンピュータが実行することにより、（１）と同様の効果が期待できる。
【００２１】
（７）コンピュータに複数の座席への人員の配席を決定させるための配席設計プログラムであって、配席条件に関して位置毎に異なる属性の強さを示す属性スコアを等高線によるデータ構造で記憶する属性記憶ステップと、前記人員それぞれの前記属性に対する許容度を記憶する許容度記憶ステップと、前記人員のいずれかが、ある座席に配席されたと仮定した場合に、当該配席された座席と前記配席条件における前記等高線との位置関係に基づいて特定される前記属性スコア、及び当該配席された人員の前記属性に対する前記許容度に基づいて、当該配席された座席が当該人員にとって適している度合いを示す許容ポイントを算出するポイント算出ステップと、前記ポイント算出ステップにおいて算出される前記許容ポイントの全人員についての総和が所定の条件を満たす配席を決定する配席決定ステップと、を実行させるための配席設計プログラム。
【００２２】
このような構成によれば、配席設計プログラムをコンピュータに実行させることにより、（１）と同様の効果が期待できる。
【発明の効果】
【００２３】
本発明によれば、座席毎に異なる属性の強弱を容易に設定でき、かつ、条件に適した配席を容易に決定できる。
【図面の簡単な説明】
【００２４】
【図１】本発明の実施形態に係る配席設計装置の機能構成を示すブロック図である。
【図２】本発明の実施形態に係る配席条件テーブルを示す図である。
【図３】本発明の実施形態に係る等高線の例を示す図である。
【図４】本発明の実施形態に係る人員条件テーブルを示す図である。
【図５】本発明の実施形態に係る処理を示すフローチャートである。
【発明を実施するための形態】
【００２５】
以下、本発明の実施形態の一例について説明する。
本実施形態に係る配席設計装置１は、コンタクトセンタ等のオフィスにおいて、複数の座席への人員の配席を決定する装置である。
【００２６】
図１は、本実施形態に係る配席設計装置１の機能構成を示すブロック図である。
配席設計装置１は、制御部１０と、記憶部２０と、入力部４０と、出力部５０とを備える。
【００２７】
制御部１０は、配席設計装置１の全体を制御する部分であり、記憶部２０に記憶された各種プログラムを適宜読み出して実行することにより、上記のハードウェアと協働し、本実施形態における各種機能を実現している。制御部１０は、ＣＰＵ（Ｃｅｎｔｒａｌ  Ｐｒｏｃｅｓｓｉｎｇ  Ｕｎｉｔ）であってよい。なお、制御部１０が備える各部の機能は後述する。
【００２８】
記憶部２０は、ハードウェア群を配席設計装置１として機能させるための各種プログラム、及び各種データ等の記憶領域であり、ハードディスク（ＨＤＤ）であってよい。具体的には、記憶部２０には、本実施形態の各種機能を実現させるため制御部１０に実行させるプログラム（配席設計プログラム）の他、後述の属性スコアデータが配席条件テーブル２１（属性記憶部）に、許容度データが人員条件テーブル２２（許容度記憶部）に、属性スコアのテンプレートデータがテンプレートテーブル２３（テンプレート記憶部）に記憶される。
【００２９】
図２は、本実施形態に係る配席条件テーブル２１を示す図である。
配席条件テーブル２１には、複数の配席条件のそれぞれに関して位置毎に異なる属性の強さを示す属性スコアが等高線によるデータ構造で記憶されている。
【００３０】
例えば、空調の効き具合という配席条件に関する属性は、エアコンの設置場所からの距離、風向き、オフィスのレイアウト等に影響されて分布し、等高線＃１（例えば、スコア１０）、＃２（例えば、スコア８）、・・・の順に空調の影響（属性スコア）が弱まっていく。
また、Ａ氏に対する忌避度を示す属性スコア、Ｂ氏に対する忌避度を示す属性スコア、スーパーバイザの席として適している度合いを示す属性スコア、ショッピング応答チームの席として適している度合いを示す属性スコア等についても、同様に等高線＃１、＃２、・・・によって、属性スコアが定義される。
【００３１】
ここで、等高線は、複数の座標データの組合せで表現され、これらの座標を順に結んで出来る閉じた曲線が同一の属性スコアの位置を示す等高線となる。
なお、属性スコアは、Ａ氏又はＢ氏に対する忌避度を示す属性スコアのように、同種類のものが複数定義されてもよい。また、これら同種類の属性スコアが同一の等高線によって定義されてもよい。
【００３２】
また、この等高線は、利用者からの入力情報に基づいて後述の制御部１０の処理により生成されるが、制御部１０は、利用者に対して既存のテンプレートを提示し、このテンプレートに対する修正入力を受け付けることもできる。本実施形態に係るテンプレートテーブル２３には、配席条件に関する等高線のテンプレートが記憶される。
【００３３】
なお、テンプレートは、同心円等、基準位置に基づく固定された形状であってよいが、これには限られず、オフィスの形状や配置された物品等に応じて動的に変形する形状であってもよい。
【００３４】
図３は、本実施形態に係る配席条件テーブル２１によって定義される等高線の例を示す図である。
図３（ａ）は、空調の効き具合を示す属性の等高線、図３（ｂ）は、Ａ氏に対する忌避度を示す属性の等高線、図３（ｃ）は、スーパーバイザの席として適している度合いを示す属性の等高線、図３（ｄ）は、ショッピング応答チームの席として適している度合いを示す属性の等高線である。
【００３５】
なお、これらの等高線が示す属性スコアは、各配席条件間での許容ポイントのバランスを考慮し、適宜設定される。
また、属性スコアは、複数の等高線を設けることによって連続値（例えば、０から１０まで）が設定されてもよいし、単一の等高線（例えば、属性スコア＝１０）を設けることによって２値（例えば、１０又は０）が設定されてもよい。
【００３６】
図４は、本実施形態に係る人員条件テーブル２２を示す図である。
人員条件テーブル２２には、人員それぞれの属性スコアに対する許容度が記憶されている。
【００３７】
例えば、ＩＤが「０００１」の人員は、配席条件「Ａ０１」（空調の効き具合）についての許容度が「１０」であり、空調が良く効く座席を好むことを示している。一方、ＩＤが「０００２」の人員は、配席条件「Ａ０１」についての許容度が「−５」であり、空調が良く効く座席を嫌っていることを示している。なお、許容度の値は、絶対値が大きいほど、対応する属性に対する好き嫌いの度合いが強いことを示している。
【００３８】
また、許容度は、人員毎に複数の配席条件に対して設定可能であり、考慮が不要な配席条件に対しては、許容度が「０」に設定される。
【００３９】
入力部４０は、配席設計装置１に対する利用者からの指示入力を受け付けるインタフェース装置である。入力部４０は、例えば、キーボード、マウス及びタッチパネル等により構成される。
【００４０】
出力部５０は、利用者にデータの入力を受け付ける画面を表示したり、配席設計装置１による処理結果の画面を表示したりするディスプレイ装置を含む。さらに、出力部５０は、ブラウン管表示装置（ＣＲＴ）や液晶表示装置（ＬＣＤ）等のディスプレイ装置の他、プリンタ等の各種出力装置を含んでよい。
【００４１】
次に、制御部１０の機能を詳述する。
制御部１０は、ポイント算出部１１と、配席決定部１２と、属性入力部１３とを備える。これら各部は、アラート分析プログラムを実行することにより実現される機能ブロックである。
【００４２】
ポイント算出部１１は、配席対象の人員のいずれかが、ある座席に配席されたと仮定した場合に、まず、配席条件テーブル２１を参照して、この配席された座席と配席条件における等高線との位置関係に基づいて属性スコアを特定する。次に、ポイント算出部１１は、人員条件テーブル２２を参照して、配席された人員について、属性に対する許容度を抽出する。そして、ポイント算出部１１は、属性スコアと許容度とに基づいて、配席された座席が人員にとって適している度合いを示す許容ポイントを算出する。
【００４３】
具体的には、許容ポイントは、属性スコアと許容度とを乗じた値とする。つまり、属性スコア及び許容度の双方の値が大きくなるほど、仮定された配席が適していることを示している。また、属性スコア又は許容度が小さくなり、さらには、許容度が負の値になれば、仮定された配席が適していないことを示している。
【００４４】
また、ポイント算出部１１は、配席条件に関する属性スコアが特定の人員からの影響度（例えば、Ａ氏に対する忌避度）を示す場合、テンプレートテーブル２３に記憶されているいずれかのテンプレートに基づいて、特定の人員（Ａ氏）が配席された位置に応じた属性スコアを特定する。これにより、ポイント算出部１１は、配席条件の基準が変動する場合においても、一定の精度により簡易的に許容ポイントを算出できる。
【００４５】
配席決定部１２は、ポイント算出部１１により算出される許容ポイントの全人員についての総和が所定の条件を満たす配席を決定する。また、配席決定部１２は、配席条件が複数の場合、複数の配席条件それぞれに対してポイント算出部１１により算出される許容ポイントの和を、全人員について総和した値が所定の条件を満たす配席を決定する。
【００４６】
ここで、所定の条件とは、配席の候補として仮定される複数の配席パターン毎に算出される許容ポイントの総和が極大となる場合である。すなわち、全ての配席パターン又は一部の配席パターンについて、それぞれの許容ポイントを算出した上で、許容ポイントが最大となる配席パターンが決定される。
【００４７】
属性入力部１３は、入力部４０を介して、利用者からテンプレートに基づく修正入力を受け付け、修正後の等高線で示される属性スコアを配席条件テーブル２１に記憶する。
【００４８】
図５は、本実施形態に係る配席設計装置１における処理を示すフローチャートである。
ステップＳ１において、制御部１０は、利用者からの選択入力を受け付けて、テンプレートテーブル２３から等高線のテンプレートを選択する。
【００４９】
ステップＳ２において、制御部１０（属性入力部１３）は、ステップＳ１で選択されたテンプレートに対して、利用者から修正入力を受け付けて、属性スコアの分布を示す等高線データを更新する。
【００５０】
ステップＳ３において、制御部１０（属性入力部１３）は、ステップＳ２で更新された等高線データを、配席条件テーブル２１に登録する。
【００５１】
ステップＳ４において、制御部１０は、全ての配席条件について属性スコアの分布を示す等高線データが登録されたか否か、具体的には、利用者から配席条件の設定を終了する指示を受け付けたか否かを判定する。この判定がＹＥＳの場合、処理はステップＳ５に移り、判定がＮＯの場合、処理はステップＳ１に戻り、別の配席条件について属性スコアの設定を継続する。
【００５２】
ステップＳ５において、制御部１０は、配席の候補の１つとして、全人員を仮に配席した配席パターンの１つを仮定する。
【００５３】
ステップＳ６において、制御部１０（ポイント算出部１１）は、ステップＳ５で仮定された配席によって特定される属性スコア及び許容度に基づいて、配席条件及び人員毎の許容ポイントを算出する。
【００５４】
ステップＳ７において、制御部１０は、ステップＳ６で算出された許容ポイントを、全配席条件及び全人員について総和し、仮定された配席パターンに対応付けて記憶する。
【００５５】
ステップＳ８において、制御部１０は、他の配席パターンを検証するか否かを判定する。具体的には、制御部１０は、配席可能な全ての組合せを対象とするか、処理負荷の低減のために一部の組合せを対象とするかが予め設定されている場合に、対象とした配席パターンのうち、許容ポイントを算出していないパターンが残っているか否かを判定する。この判定がＹＥＳの場合、処理はステップＳ９に移り、判定がＮＯの場合、処理はステップＳ５に戻り、別の配席パターンの検証を継続する。
【００５６】
ステップＳ９において、制御部１０（配席決定部１２）は、ステップＳ７で得られた許容ポイントの総和が最大となる配席パターンを抽出し、配席設計の結果として決定する。
【００５７】
以上のように、本実施形態によれば、配席設計装置１は、等高線によるデータ構造で属性スコアの分布を記憶する。そして、配席設計装置１は、人員が配席された座席の属性スコアと、属性に対して人員毎に設定されている許容度とに基づいて算出される許容ポイントの総和により適切な配席を決定できる。したがって、配席設計装置１は、座席毎に異なる属性の強弱を、等高線を用いて容易に設定でき、かつ、人員毎の許容度で示される条件に適した配席を容易に決定できる。
【００５８】
さらに、配席設計装置１は、等高線による共通のデータ構造で、性質の異なる複数の配席条件に関する属性スコアの分布を定義できる。したがって、配席設計装置１は、座席毎に異なる属性の強弱を容易に設定でき、かつ、性質の異なる複数の条件に適した配席を容易に決定できる。
【００５９】
このとき、配席設計装置１は、許容ポイントを算出した配席パターンの中で、この許容ポイントの総和が極大となる場合の配席パターンを、設計結果として出力する。したがって、配席設計装置１は、各座席の属性スコアに対してより大きな許容度が設定されている人員が割り当てられた配席パターンを選択し、より適切な配席を決定できる。
【００６０】
また、配席設計装置は、テンプレートを予め記憶しておくことにより、利用者の作業負荷を低減し、かつ、容易に属性のスコアの分布を定義できる。
【００６１】
さらに、配席設計装置１は、特定の人員の配置に応じて等高線を移動させる必要がある場合、特定の人員がいずれの座席に割り当てられたとしても、テンプレートに基づいて属性スコアを特定できる。したがって、配席設計装置１は、特定の人員の配置に応じて、都度、等高線を設定する必要がなく、利用者の作業負荷を低減できる。
【００６２】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００６３】
前述の配席設計装置１は、サーバ装置又はＰＣ（Ｐｅｒｓｏｎａｌ  Ｃｏｍｐｕｔｅｒ）等、様々な情報処理装置（コンピュータ）であってよく、前述の各機能は、ソフトウェアにより実現される。ソフトウェアによって実現される場合には、このソフトウェアを構成するプログラムが情報処理装置にインストールされる。また、これらのプログラムは、ＣＤ−ＲＯＭ等のリムーバブルメディアに記録されて配布されてもよいし、ネットワークを介して情報処理装置にダウンロードされることにより配布されてもよい。
【符号の説明】
【００６４】
１  配席設計装置
１０  制御部
１１  ポイント算出部
１２  配席決定部
１３  属性入力部
２０  記憶部
２１  配席条件テーブル２１（属性記憶部）
２２  人員条件テーブル２２（許容度記憶部）
２３  テンプレートテーブル２３（テンプレート記憶部）
【図１】
0005728692.tif 000002
【図２】
0005728692.tif 000003
【図３】
0005728692.tif 000004
【図４】
0005728692.tif 000005
【図５】
0005728692.tif 000006